【事件の表示】
　特願２０１１−５４９４８１号「生物学的流体の処理装置」拒絶査定不服審判事件〔平成２２年　８月１９日国際公開、ＷＯ２０１０／０９１８６７、平成２４年　８月　２日国内公表、特表２０１２−５１７３０７号〕について、次のとおり審決する。
【結　論】
　本件審判の請求は、成り立たない。
【理　由】
１．手続の経緯・本願発明
　本願は、２０１０年２月１１日（パリ条約による優先権主張　外国庁受理　２００９年２月１２日　独国）を国際出願日とする出願であって、平成２６年５月２８日付けで拒絶査定がなされ、これに対し平成２６年９月１０日に拒絶査定不服審判の請求がされると同時に特許請求の範囲についての手続補正書が提出され、平成２７年８月１７日付けで当審により拒絶の理由が通知され、平成２７年１１月６日付けで意見書及び手続補正書が提出されたものであって、その請求項１〜２５に係る発明は、平成２７年１１月６日付けの手続補正書によって補正された特許請求の範囲の請求項１〜２５に記載された事項により特定されるとおりのものと認められるところ、その請求項１に係る発明（以下、「本願発明」という。）は、次のとおりのものである。
　
「生物学的流体を受容可能な第１のチャンバ（３）と、気体を受容可能な複数の第２のチャンバ（７）とを含み、
　前記第１のチャンバ（３）及び前記複数の第２のチャンバ（７）が、少なくとも１枚の気体透過性且つ液体不透過性膜（９）によって互いに分離されており、
　前記生物学的流体を処理するために、気体分子が前記気体透過性且つ液体不透過性膜（９）を通って前記第１のチャンバ（３）と前記複数の第２のチャンバ（７）との間で移動可能な生物学的流体の処理装置（１）であって、
　少なくとも１枚の液体透過性膜（１５）によって前記第１のチャンバ（３）と分離され、且つ前記生物学的流体の１以上の成分を除去／回収可能な複数の第３のチャンバ（１３）を有し、
　前記複数の第２のチャンバ（７）が、少なくとも１枚の気体透過性且つ液体不透過性膜（９）によって、分離されるか又は取り囲まれ、
　前記複数の第３のチャンバ（１３）が、少なくとも１枚の液体透過性膜（１５）によって、分離されるか又は取り囲まれ、
　前記複数の第２のチャンバ（７）の長手方向が、前記複数の第３のチャンバの長手方向に対して直角に延在し、
　前記複数の第２のチャンバ（７）及び前記複数の第３のチャンバ（１３）が、前記第１のチャンバ内に配置され、かつ前記第１のチャンバによって取り囲まれており、
　前記複数の第２のチャンバ（７）が、１以上の列に隣り合って、且つ互いに離間されて配置され、前記複数の第２のチャンバ（７）が、幾つかの層（１９）に配置され、
　前記複数の第３のチャンバ（１３）が、１以上の列に隣り合って、且つ互いに離間されて配置され、前記複数の第３のチャンバ（１３）が、幾つかの層（２１）に配置され、
　前記複数の第２のチャンバ（７）の層（１９）及び前記複数の第３のチャンバ（１３）の層（２１）が、交互に配置されていることを特徴とする装置（１）。」
　
２．引用文献の記載事項
（１）引用文献１
　本願の優先権主張日前に頒布された刊行物である特開昭６１−２９３６０号公報（当審において通知した拒絶理由の引用文献１。以下、「引用文献１」という。）には、図面とともに次の事項が記載されている。
　
ア「ところが、このように酸素の供給と、炭酸ガスの除去とを効率的に実施するには、血液に対して膜を介しての気−液型の接触と、液−液型の接触とを同時に実施すればよいことは知られていたが、これを実現する実用的な簡易な構造を具備した人工肺装置は、従来知られていなかったのが現状である。」（２頁左上欄１９行〜右上欄５行）
イ「［発明の目的］
　本発明の目的は、酸素の供給と、炭酸ガスの除去とを効率的に実施することのできる人工肺装置を提供することにある。
　本発明の他の目的は、血液に対して、膜を介しての気−液型の接触と、液−液型の接触とを１つの装置内で効率良く行うことのできる人工肺装置を提供することにある。」（２頁右下欄１２〜１９行）
　
ウ「［発明の構成］
　すなわち、本発明の人工肺は、透析液導入口、透析液導出口、血液導入口、血液導出口、ガス導入口及びガス導出口を有する浅箱状の形状を有するハウジング内に、該ハウジング内部をガス流路または透析液流路と血液の流れる接触室とに区分する固定部材と、前記ガス流路と透析液流路とを区分する仕切り部材と、前記接触室内をほぼ直線状で通過し、それぞれの開口両端を前記ガス流路に向け前記固定部材により固定された多数の中空糸膜及びそれぞれの開口両端を前記透析液流路に向け前記固定部材により固定された多数の中空糸膜とを有し、これら中空糸膜は前記接触室内で前記血液の流れ方向に対して４５°〜９０°の角度で配設され、かつ前記接触室が前記中空糸膜に対して垂直な方向に幅をせばめられた血液流路部と、該血液流路部を介してわけられた前記中空糸膜を内蔵する複数の小室とに区分けされて構成されてなるものである。」（３頁左上欄５行〜右上欄３行）
エ「［発明を実施するための最適な態様］
　以下、本発明の人工肺装置につき図面を参照しつつより詳細に説明する。
　第１図は、本発明の人工肺の一態様例を示す縦断面図であり、第２図は第１図に於けるＸ−Ｙ線に沿った横断面図である。
　本発明の人工肺は、基本的には人工肺本体を形成するハウジングｌと、中空糸膜２−１、２−２と、固定部材３、仕切り部材４とから構成される。
　これらの部材によりハウジング１の内部は、血液の流れる接触室５と、接触室５に内蔵されたガス交換用中空糸膜２−１の内部空間に酸素を含むガスを供給するためのガス流路６と、透析用中空糸膜２−２の内部空間に透析液を供給するための透析液流路７に区分されている。
　更に、ハウジング１の内壁に設けられた凸部８によって、接触室５の内部は、血液の流れる方向を横切る方向に設置されかつ中空糸膜２−１、２−２の設置方向に対して垂直な方向（以下、接触室の厚み方向と略称する）に幅をせばめるよう構成された血液流路部９と、この血液流路部９を介してわけられその内部に中空糸膜２−１、２−２を内蔵する複数の小室１０−１〜１０−７とに区分けされている。
また、ハウジングｌには、ガス導入口１１、ガス導出口１２、透析液導入口１３、透析液導出口１４、血液導入口１５及び血液導出口１６が各々設けられている。
　中空糸膜２−１は４つの小室１０−１〜１０−４内をほぼ直線状で通過し、相い向かいあう二つの固定部材３により、それぞれの開口両端をガス流路６に向け開口を保ちつつ固定されおり、ガス交換用の小室１０−１〜１０−４を形成している。一方、中空糸膜２−２は３つの小室１０−５〜１０−７内をほぼ直線状で通過し、相い向かいあう二つの固定部材３により、それぞれの開口両端を透析液流路７に向け開口を保ちつつ固定されおり、透析用の３つの小室１０−５〜１０−７を形成している。
　固定部材３の有する凸部８は、血液流路部９を形成して、血液の流れる接触室を複数の小室に区分するものである。」（３頁右上欄４行〜右下欄３行）
オ「本発明の人工肺装置内に於いては、酸素を含むガスは、ガス導入口１１からハウジング１内のガス流路６へ供給され、ガス交換用中空糸膜２−１の内部を流れ、接触室５の小室１０−１〜１０−４内で中空糸膜２−１を介して血液とガス交換を行ない、酸素が減少し、炭酸ガスの増加したガスとなって、ガス流路６′へ導かれた後ガス導出口１２から排出される。なお、ガス流路に供給される酸素を含むガスは、もちろん純粋な酸素であっても良い。
　一方、透析液は、透析液導入口１３からハウジング１内に供給され、透析液流路７を流れて、小室１０−５〜１０−７に内蔵された中空糸膜２−２内に供給され、そこで中空糸膜２−２を介して、これら小室内を流れる血液と接触し、血液中の炭酸水素イオン等の不用物を吸収した後、透析液流路７′を経て透析液導出口１４から排出される。
　この透析液流路へ供給される透析液としては、種々のものが適用可能であり、いわゆる人工腎臓用の透析液を流せば、本発明の人工肺に、人工肺と人工腎臓の両方の機能を果させることができる。しかしながら、本発明の目的に照らせば、透析液は少なくとも炭酸水素イオン濃度の低いもので、血漿水の炭酸水素イオンの除去能を有するものでなければならない。
　他方、人体から取り出された血液（静脈血）は、血液導入口１５からハウジングｌ内に供給され、接触室を形成する小室１０−１〜１０−７内を順次流れ、血液導出口１６からハウジング外へ排出される。その際、小室１０−１〜１０−４内に於いては、血液は中空糸膜２−１を介して、中空糸膜内部に供給されてきた酸素を含むガスと接触して、ガス交換を行ない、必要十分な量の酸素を取り込んだ血液となり、更に、小室１０−５へ送り込まれる。小室１０−５〜１０−７に於いては、小室１０−４から流入してきた血液が、中空糸膜２−２を介して透析液と接触し、血液から主に炭酸水素イオン等の不用物が除去される。このように、本発明の人工肺に於いては、まず十分な量の酸素が酸素を含むガスと血液が気−液型接触することにより血液に供給される。しかも、更に血液は透析液と液−液型の接触を行ない、炭酸水素イオンが血液から除去されるので、炭酸ガスが十分に効率良く除去され、動脈化された血液としてハウジングｌ外へ排出される。なお、上述したように、透析液として、人工腎臓用の透析液を使用すれば、上記のようなガス交換が行なわれるとともに、血液内の不用物をも透析によって除去することが可能であり、本発明の人工肺に人工腎臓の機能をも兼備させることができる。」（４頁左上欄１４行〜右下欄２行）
カ「［本発明の効果］
　このように本発明の人工肺装置は、製造に当って煩雑な手間を必要としない簡易な構造の実用的な人工肺装置であり、１つの装置内で、中空糸膜を介しての血液と酸素を含むガスとの気−液型の接触と、血液と透析液との液−液型の接触を行なえるため、酸素の供給と炭酸ガスの除去とをより効率的に実施することが可能となり、しかも血液のチャンネリングや滞留部の発生は殆どなく、優れた性能が発揮できる。また、透析液として、人工腎臓用の透析液を流せば、本発明の人工肺に、人工肺と人工腎臓の両方の機能を果させることも可能である。更に、容易に加工ができるため安価でかつ体外への血液搬出量が小さくなり、患者の負担を軽減するという利点を有している。」（５頁左下欄１８行〜右下欄１２行）
　上記ア〜カの記載、並びに、第１図及び第２図から、引用文献１には、次の発明（以下「引用発明１」という。）が記載されている。
　
「血液が流れるハウジングの接触室と、酸素を含むガスが流れる複数のガス交換用中空糸膜と、透析液が流れる複数の透析用中空糸膜とを有し、
　ハウジングの接触室及び複数のガス交換用中空糸膜が、ガス交換用中空糸膜を介して血液とガス交換を行い酸素が血液に移動し、ハウジングの接触室及び複数の透析用中空糸膜が、透析用中空糸膜を介して血液中の炭酸イオン等の不用物を透析用中空糸膜によって吸収する人工肺装置であって、複数のガス交換用中空糸膜及び複数の透析用中空糸膜が、ハウジングの接触室内に配置されかつ取り囲まれている、人工肺装置。」
　
（２）引用文献２
　本願の優先権主張日前に頒布された刊行物である特開平７−３０３６９５号公報（当審において通知した拒絶理由の引用文献２。以下、「引用文献２」という。）には、図面とともに次の事項が記載されている。
　
キ「【産業上の利用分野】本発明は一般にガス移動装置に係わり、更に詳しくは微孔ファイバーを使用した体外血液酸素供給器に関する。」（段落【０００１】。）
ク「【発明が解決しようとする課題】本発明は、血液酸素供給器として効率的に機能し、また体外酸素供給系に主なる使用を見出すガス移動装置に係わる。本発明の開示のために、この装置は血液酸素供給器としての使用に関連して説明される。」（段落【００１７】。）
ケ「【課題を達成するための手段】この装置は、内部の血液処理室を有するハウジングを含み、この室内には２組の互いに混じり合った流体導入ファイバーで構成されたマットが配置される。一方の組のファイバーは微孔が壁部に形成されてガスの相互拡散を可能にする一方、他方の組のファイバーは中実な液体不浸透壁を有する。マニホールドが各組のファイバーの反対端部に備えられ、また入口及び出口手段がハウジングに備えられて血液を導き、血液はハウジングを通りマットを横断して処理される。微孔のある組のファイバーは流体処理ガスを伝えるようになされる一方、中実壁の組のファイバーは熱伝導流体を導くようになされる。各組のファイバーと関連するマニホールドはコネクターを有し、その関連するファイバーに対する流体の流入及び流出を可能にする。
本発明による装置では、血液はハウジングの一方の側に流入し、ファイバーマットを通過した後でハウジングの反対側から流出される。壁部に微孔を有する組のファイバーは酸素の送りに使用出来、該ファイバー壁部を通るガスの相互拡散を可能にする。このファイバー内の酸素は内部室を通過する酸素不足血液中に拡散し、血液中の過剰なＣＯ２はファイバーの中に拡散する。中実壁のファイバーは例えば水のような熱伝導流体を送るために使用され、ガスの相互拡散と同時に血液温度が調節され維持されるようになされる。」（段落【００１８】〜【００１９】。）
コ「他の実施例において、微孔のあるファイバーは別個の層にて互いに結合され、各層における微孔のあるファイバーは平行関係に延在する。横方向に間隔を隔てた接着材ビードは各層のファイバーを横断して延在し、ファイバーを共に予め定めた並置の関係で結合する。液体不浸透性のファイバーは同様に互いに別々の層に接着され、微孔のあるファイバー及び液体不浸透ファイバーの層は装置を通して流れる予め定められた血液の流量に対して望ましいファイバーの所要面積部分に応じて予め定められた厚さのマットに重ねることができる。」（段落【００２１】。）
サ「【実施例】図示の目的で本発明のガス移動装置は、周知の１つの用途に関係して、特に血液の酸素化に関係して説明される。この装置はそれ故に血液酸素供給器１２と一般に称される。
図１を参照すれば、血液酸素供給器１２は複数の外部コネクターを有するハウジング１４を含み、ハウジングはその内部を通して処理されるべき流体（血液）、処理流体（酸素）、及び熱伝導流体（水）を移送できるようになされていることが見られる。前述した流体を装置に導き、また装置から導き出す系統は多くの異なる形態を取り得ることから、それらは血液入口系１６、血液出口系１８、ガス入口系２０、ガス出口系２２、水入口系２４及び水出口系２６として単に図解的に示されている。前述した入口及び出口系の各々は柔軟な導管２８と組合わされており、これらの導管は以下に更に完全に説明されるように装置と作動的に相互連結され、また図示されていないが圧力ポンプ又は真空ポンプを含んでいる。圧力ポンプは関連する流体を正圧の作用の下で装置に通して圧送し、又真空ポンプは負圧の作用の下で装置を通して流体を吸引するように使用出来る。
図１及び図３に恐らく最も良く示されているように、ハウジング１４は一対の同じ反対両側の表面プレート３０を含み、これらのプレートはその周縁に沿って相互に連結され、また４つのマニホールド部材３２ａ、３２ｂ、３２ｃ及び３２ｄにより逆の状態で間隔を隔てた関係に保持され、マニホールドは組合って周辺フレームを形成している。マニホールドは表面プレート３０を予め定められた間隔で保持し、この間隔は表面プレートの全横断面を差し渡すファイバーマット３４を受け入れるようになされる。このマットはハウジング１４によって形成された内部室３６の中に配置され、ハウジングを通る血液の流れがマットを通して流れなければならないようにしている。
マット３４は後で更に詳細に説明されるが、２組の中空ファイバーを含んで成り、これらは実質的に相互に直角な関係に配置されている。一方の組のファイバーは壁部に微孔を形成されており、酸素処理ガスを送るようになされる一方、他方の組のファイバーは中実な液体不浸透壁を有し、熱伝導水を送るようになされる。各組のファイバーの反対両端部は開口し、４つのマニホールド３２ａ〜３２ｄの１つと連通されている。マニホールドはそれ自体が後で更に詳しく説明するように気密状態に分離されている。」（段落【００２３】〜【００２６】。）
シ「ファイバーマットの代替実施例が図１０に示されており、平行なファイバーマット３４ａとされている。この実施例で、マットの各層は一つの別個の組のファイバー６６及び６８を含んでなり、これらのファイバーは平行な関係状態で配置され、間隔を隔てて接着材７８のビードにより横方向結合されている。各層に於ける単一組のファイバーの並置関係は特定の用途に関して予め定められているが、図示のために第一の組の微孔のあるファイバー６６は連続して又は僅かな間隔を隔てて平行に配置される一方、第二の組の中実壁ファイバー６８は隣接するファイバー間により大きな空間が形成されるように間隔を隔てた平行関係で配置される。個々のファイバーの各層は従って所望の厚さ又はファイバーの予め定められた表面積が確立される迄、重ねることができる。異なる層の微孔のあるファイバー６６が同じ方向に延在するように組立てられ、他の層の中実壁ファイバー６８が実質的に直角な方向に延在されているが、第一及び第二の組のファイバーの層が交互である必要はない。換言すれば、中実壁ファイバー６８のどの層に対しても微孔のあるファイバー６６の２つの層があり、これは特定の適用に関して望ましい各組のファイバーの相対的な表面積によって決まる。」（段落【００３８】。）
ス「平行ファイバーマットに於いては、効率的に作動した一実施例は有効表面積が２．５１平方メートルの６０層の微孔のあるファイバー、及び有効表面積が１．３２平方メートルの２９層の中実壁ファイバーを含んでいた。マットの厚さは３．３８ｃｍ（１．３３インチ）であった。ファイバーは全て２２．９ｃｍ（９インチ）の長さで、各層は１５．２ｃｍ（６インチ）幅であり、微孔のあるファイバー層と中実壁ファイバー層との重なりは１５．２ｃｍ平方（６インチ平方）であった。」（段落【００４２】。）
　上記キ〜スの記載事項、及び、【図１】、【図３】、【図１０】、【図１１】から、引用文献２には、次の発明（以下「引用発明２」という。）が記載されている。
　
「体外血液酸素供給装置において、ハウジングによって形成される内部室と、内部室に配置されるマットとからなり、血液が内部室に導入・導出され、ハウジングの血液の流れがマットを通過して血液に酸素供給及び血液の温度調整の処理が行われるものであって、該マットは、酸素処理ガスが流れる複数の微孔のあるファイバーと、熱伝導水が流れる中実壁ファイバーとから構成され、複数の微孔のあるファイバーの長手方向が、複数の中実壁ファイバーの長手方向に対して直角に延在し、複数の微孔のあるファイバーが、１以上の列に隣り合って、且つ互いに離間されて配置され、複数の微孔のあるファイバーが幾つかの層に配置され、複数の中実壁ファイバーが、１以上の列に隣り合って、且つ互いに離間されて配置され、複数の中実壁ファイバーが、幾つかの層に配置され、複数の微孔のあるファイバーの層及び複数の中実壁ファイバーの層が、中実壁ファイバーのどの層に対しても微孔のあるファイバーの２つの層があるよう配置されている体外血液酸素供給装置。」
　
３．対比・判断
　本願発明と引用発明１とを対比すると、後者の「血液」は「人体の生命維持に必須の循環系を循環する液体」であるから前者の「生物学的流体」に相当することは明らかであり、また、後者の「人工肺装置」は、血液に酸素を供給するとともに二酸化炭素を除去する処理を行う装置であるから、前者の「生物学的流体の処理装置」に相当する。
　そして、その構成及び機能からみて、後者の「血液が流れるハウジングの接触室」は前者の「生物学的流体を受容可能な第１のチャンバ」に相当し、同様に、後者の「酸素を含むガスが流れる複数のガス交換用中空糸膜」は前者の「気体を受容可能な第２のチャンバ」に、後者の「透析液が流れる複数の透析用中空糸膜」は前者の「生物学的流体の１以上の成分を除去／回収可能な複数の第３のチャンバ」にそれぞれ相当する。
　また、後者の「酸素を含むガスが流れる複数のガス交換用中空糸膜」は、その糸膜によってハウジングの接触室とガスが流れるガス交換用中空糸膜とが分離されており、かつ、その外面が血液と接触することで、内部を流れるガス中の酸素が血液に移動するのであるから、ガス交換用中空糸膜の膜部材は、少なくとも酸素分子を透過する気体透過性でありかつ液体不透過性の膜であり、且つ、ガス交換用中空糸膜は、少なくとも１枚の気体透過性且つ液体不透過性の膜によって取り囲まれ、ハウジングの接触室と分離されていることは明らかである。
　さらに、後者の透析用中空糸膜は、その糸膜によってハウジングの接触室と透析液が流れる透析用中空糸膜とが分離されており、かつ、その外面が血液と接触することで、内部を流れる透析液に血液中の炭酸イオン等の不用物を吸収させるのであるから、透析用中空糸膜の膜部材は、液体透過性の膜であり、且つ、透析用中空糸膜は、少なくとも１枚の液体透過性の膜によって取り囲まれ、ハウジングの接触室と分離されていることは明らかである。
　してみると、両者は次の点で一致している。
　
（一致点）
「生物学的流体を受容可能な第１のチャンバと、気体を受容可能な複数の第２のチャンバとを含み、前記第１のチャンバ及び前記複数の第２のチャンバが、少なくとも１枚の気体透過性且つ液体不透過性膜によって互いに分離されており、前記生物学的流体を処理するために、気体分子が前記気体透過性且つ液体不透過性膜を通って前記第１のチャンバと前記複数の第２のチャンバとの間で移動可能な生物学的流体の処理装置であって、少なくとも１枚の液体透過性膜によって前記第１のチャンバと分離され、且つ前記生物学的流体の１以上の成分を除去／回収可能な複数の第３のチャンバを有し、前記複数の第２のチャンバが、少なくとも１枚の気体透過性且つ液体不透過性膜によって、分離されるか又は取り囲まれ、前記複数の第３のチャンバが、少なくとも１枚の液体透過性膜によって、分離されるか又は取り囲まれ、前記複数の第２のチャンバ及び前記複数の第３のチャンバが、前記第１のチャンバ内に配置され、かつ前記第１のチャンバによって取り囲まれている、装置。」
　
　そして、両者は次の点で相違している。
（相違点）
　本願発明では、「複数の第２のチャンバの長手方向が、複数の第３のチャンバの長手方向に対して直角に延在し、複数の第２のチャンバが、１以上の列に隣り合って、且つ互いに離間されて配置され、複数の第２のチャンバが、幾つかの層に配置され、複数の第３のチャンバが、１以上の列に隣り合って、且つ互いに離間されて配置され、複数の第３のチャンバが、幾つかの層に配置され、複数の第２のチャンバの層及び複数の第３のチャンバの層が、交互に配置されている」という構成を備えるのに対し、引用発明１は、そのような構成を有しない点。
　
　以下、上記相違点について検討する。
　引用発明２の体外血液酸素供給装置も、人体から導出された血液に酸素供給及び二酸化炭素の除去を行う装置であり、引用発明１と同じ人工肺装置に相当するものである。そして、両者とも、装置の血液が流れる空間に配置されたガス交換が可能な壁面を有し、その内部に酸素を含むガスが流れる複数の中空糸を備え、血液がこの中空糸と接することで血液に酸素を供給するとともに、酸素供給とは異なる血液の処理を目的として、複数の中空糸を血液と接する構成を備えている点において一致している。
　そして、引用文献１には、上記２．（１）アに記載されているとおり、「酸素の供給と、炭酸ガスの除去とを効率的に実施するには、血液に対して膜を介しての気−液型の接触と、液−液型の接触とを同時に実施すればよいことは知られていたが、これを実現する実用的な簡易な構造を具備した人工肺装置は、従来知られていなかった」という課題、及び、上記２．（１）イに記載されているとおり、「酸素の供給と、炭酸ガスの除去とを効率的に実施することのできる人工肺装置を提供すること、及び、血液に対して、膜を介しての気−液型の接触と、液−液型の接触とを１つの装置内で効率良く行うことのできる人工肺装置を提供すること」という目的が記載されていることに鑑みれば、引用文献１に接した当業者であれば、引用発明１の血液の酸素供給及び、炭酸イオン等の不用物の除去のいずれの処理も、それぞれ血液とガス交換用中空糸膜との接触、及び、血液と透析用中空糸膜との接触によってなされているのであるから、酸素供給及び血液の不用物の除去をより効率的に行うため、ガス交換用中空糸膜及び透析用中空糸膜の接触室内における配置や配列等を変更、改良しようとする動機付けはあるといえる。
　してみると、引用文献１及び引用文献２に接した当業者であれば、酸素供給及び血液の不用物の除去をより効率的に行うため、引用発明１の複数のガス交換用中空糸膜及び複数の透析用中空糸膜の配置構造に、引用発明２の複数の微孔のあるファイバーと複数の中実壁ファイバーとの配置構造を適用し、上記相違点に係る本願発明のように構成する程度のことは容易に想到し得ると認められる。その適用に際し、複数のガス交換用中空糸膜の層と複数の透析用中空糸膜の層との配置において、それぞれの層を交互に配置する程度のことも容易に想到し得る事項にすぎない。
　
　審判請求人は、平成２７年１１月６日付け意見書において、引用文献１の発明は、「血液のチャンネリングによる酸素不足あるいは滞留部における凝結が生じやすい」という従来技術の問題を解決することを目的としており、そのため、ガス交換用の中空糸膜の束により形成される面と、透析用の中空糸膜の束により形成される面とは、いずれも血液の流れ方向に対して平行に位置することが明らかであり、この構成は、引用文献１に記載された前記課題を解決するための必須の構成であるから、主引例である引用文献１に記載された、ガス交換用の中空糸膜の束により形成される面（層）と、透析用の中空糸膜の束により形成される面（層）とが、いずれも前記血液の流れ方向に対して平行に位置し、前記中空糸膜の束により形成される面に対して浅い箱の形状を有するハウジングを有する構成に、副引例である引用文献２に記載された構成である、前記血液の流れ方向に対して並行ではない、ガス交換用の中空糸膜の束、及び透析用の中空糸膜の束の構造、及び前記中空糸膜の束により形成される面に対して浅い箱の形状を有しないハウジングを有する構成を適用することを阻害する事情があると主張し（意見書２頁１３行〜３頁１行）、引用発明１と引用発明２との適用に阻害要因がある旨主張している。
　しかしながら、引用文献１からは、上記２．（１）ア、イの課題及び目的に関する記載、並びに、上記２．（１）ウ〜カの記載、及び、第１図、第２図から、上記２．（１）の「引用発明１」のとおりの、ひとまとまりの技術思想としての発明が認定できるのであり、引用文献１から認定できる発明は、「ガス交換用の中空糸膜の束により形成される面（層）と、透析用の中空糸膜の束により形成される面（層）とが、いずれも前記血液の流れ方向に対して平行に位置し、前記中空糸膜の束により形成される面に対して浅い箱の形状を有するハウジングを有する構成」が必須であることを前提とする、上記審判請求人の主張は理由がない。
　
　以上のとおりであるから、本願発明は、引用発明１及び引用発明２から当業者が容易に想到し得るものと認められる。
　そして、本願発明の効果は、引用発明１及び引用発明２から当業者が予測し得る程度のものであって、格別のものとはいえない。　
　
４．むすび
　以上のとおりであるから、本願発明は、引用発明１及び引用発明２基づいて当業者が容易に発明をすることができたものであり、特許法第２９条第２項の規定により特許を受けることができない。
　よって、結論のとおり審決する。